(57)【要約】【課題】電力設備の点検や工事等を実施する際に、電路に取付けられた接地器具の取り外し忘れを確実に確認することが可能な技術を提供する。【解決手段】接地器具１０に取り付けられる位置情報発信機２０は、ＧＰＳ情報を受信し、受信位置の位置情報を演算するＧＰＳ情報受信部４４と、ＧＰＳ情報受信部４４で受信した位置情報を受け取り、無線で発信する無線発信部４６と、接地器具１０によって電路が接地されているときに、無線発信部４６を起動させ、接地器具１０によって電路が接地されていないときに、無線発信部４６を停止する制御部４８と、を備える。【選択図】図３
2009247044.tif 000002
【特許請求の範囲】
【請求項１】
電力設備の点検や工事等を実施する際に、無充電の電路を接地するための接地器具に取り付けられる位置情報発信機であって、
当該接地器具の位置情報を取得する位置情報受信部と、
前記位置情報受信部で受信した位置情報を無線で発信する無線発信部と、
前記接地器具によって前記電路が接地されているときに、前記無線発信部を起動させ、前記接地器具によって前記電路が接地されていないときに、前記無線発信部を停止する制御部と、を備えることを特徴とする位置情報発信機。
【請求項２】
前記制御部は、前記接地器具により前記電路を接地した状態でのみ前記電路と導通する電力線側電路と、前記接地器具により前記電路を接地した状態でのみ接地される接地側電路と、前記電力線側電路と前記接地側電路とが導通することにより通電されるリレーとを備え、
前記リレーが通電された状態で前記無線発信部を作動させ、前記リレーが通電されない状態で前記無線発信部を停止させることを特徴とする請求項１に記載の位置情報発信機。
【請求項３】
請求項１又は２に記載の位置情報発信機を備えたことを特徴とする接地器具。
【請求項４】
ネットワークに接続された情報処理装置により構成され、
請求項１〜３の何れかに記載の位置情報発信機から無線で発信された位置情報を受信する無線受信部と、
前記受信した位置情報を記憶する記憶部と、
前記ネットワークを介してアクセスしてきた端末からの要求に応じて前記記憶部に記憶した位置情報を当該端末に送信する送信部とを有することを特徴とする接地器具の取付状態の管理装置。
【発明の詳細な説明】
【技術分野】
【０００１】
本発明は、電力設備の点検や工事等を実施する際に、無充電の電路を接地するための接地器具に係り、特に接地器具の取り外し忘れを防止する技術に関する。
【背景技術】
【０００２】
発電所等において実施される受電設備の法定点検や工事停電に際して行われる電気工事では、作業者の安全は最優先に配慮すべき事項であり、電路に誤充電が生じないよう十分な注意が必要であるが、工事中に近傍の充電電路による誘導電流によって作業者が感電しないように電路を接地する接地器具を取り付けて作業を実施する。
【発明の開示】
【発明が解決しようとする課題】
【０００３】
ところで、上記のような点検や工事作業の終了後に、接地器具の取り外しを忘れた状態で試充電等がなされると地絡事故・短絡事故が発生し、設備の破損や瞬時電圧低下の発生につながるおそれがある。このため、作業終了後には全ての接地器具を取り外す必要がある。
【０００４】
その際、一般に試充電の操作を行う制御所は作業現場から離れた所にあるので、試充電の操作を行うオペレーターは、現場作業者と連絡をとりながら試充電の操作を行っている。
【０００５】
しかしながら、かかる接地器具を取り外したかどうかの確認は、現場作業者の目視によって行われていたため、制御所では、取り外し忘れが生じていないかどうかを現場作業者からの連絡以外把握することはできなかった。
【０００６】
本発明は、上記の点に鑑みてなされたものであり、電力設備の点検や工事等を実施する際に、電路に取付けられた接地器具の取り外し忘れを確実に確認することが可能な技術を提供することを目的とする。
【課題を解決するための手段】
【０００７】
上記の目的を達成するため、本発明は、電力設備の点検や工事等を実施する際に、無充電の電路を接地するための接地器具に取り付けられる位置情報発信機であって、
当該接地器具の位置情報を取得する位置情報受信部と、
前記位置情報受信部で受信した位置情報を無線で発信する無線発信部と、
前記接地器具によって前記電路が接地されているときに、前記無線発信部を起動させ、前記接地器具によって前記電路が接地されていないときに、前記無線発信部を停止する制御部と、を備えることを特徴とする（第１の発明）。
【０００８】
本発明の位置情報発信機によれば、接地器具により電路が接地している場合、無線発信部から位置情報受信部で受信した位置情報を発信することにより、接地器具の設置位置を遠隔地に伝達する。これにより、遠隔地で接地器具の取り外しがなされていないことが確認できるとともに、その位置を簡便に特定することができる。この結果、その接地器具の取り外し忘れを確実に防止することができ、設備の破損や瞬時電圧低下等の事故が回避される。
【０００９】
第２の発明は、第１の発明において、前記制御部は、前記接地器具により前記電路を接地した状態でのみ前記電路と導通する電力線側電路と、前記接地器具により前記電路を接地した状態でのみ接地される接地側電路と、前記電力線側電路と前記接地側電路とが導通することにより通電されるリレーとを備え、前記リレーが通電された状態で前記無線発信部を作動させ、前記リレーが通電されない状態で前記無線発信部を停止させることを特徴とする。
【００１０】
第３の発明は、接地器具であって、第１又は２の発明の位置情報発信機を備えたことを特徴とする。
【００１１】
第４の発明は、接地器具の取付状態の管理装置であって、ネットワークに接続された情報処理装置により構成され、第１〜３の何れかの発明の位置情報発信機から無線で発信された位置情報を受信する無線受信部と、前記受信した位置情報を記憶する記憶部と、前記ネットワークを介してアクセスしてきた端末からの要求に応じて前記記憶部に記憶した位置情報を当該端末に送信する送信部とを有することを特徴とする。
【００１２】
本発明の管理装置によれば、位置情報発信機から受信した位置情報を、例えば、試充電を行うオペレーターが操作する端末からアクセスがあったときに、閲覧できるように処理することができるので、オペレーターが接地器具を取り外した否かの確認を、遠隔地から容易に行うことができる。
【発明の効果】
【００１３】
本発明によれば、電力設備の点検や工事等を実施する際に、電路に取付けられた接地器具の取り外し忘れを確実に確認することが可能な技術を提供できる。
【発明を実施するための最良の形態】
【００１４】
以下、本発明の好ましい実施形態について図面に基づき詳細に説明する。  
図１は、本実施形態に係る接地器具１０の外観図である。  
図１に示すように、接地器具１０は、把持棒１２と、その先端に取り付けられ、電路に引っ掛けられて接触する部分である金属製のフック１４と、そのフック１４に一端が接続するアース線１６と、アース線１６の他端に接続され、アースとなる箇所に固定可能なクランプ１８とからなる。接地器具１０としては、一般に市販されるもの（例えば、砂崎製作所製アースフック）を用いることができる。
【００１５】
また、本実施形態に係る接地器具１０には、接地器具１０の所在位置を示す位置情報を発信する位置情報発信機２０が備えられている。
【００１６】
位置情報発信機２０は、例えば箱状を有し、図１の円内に示すように、胴体部２２に備えるマジックテープ２４を接地器具１０の把持棒１２に巻きつかせて着脱可能に取り付けすることができるようになっている。なお、位置情報発信機２０の頭部２６は剥き出しの金属となっており、接地器具１０に取り付ける際には、その頭部２６をフック１４と接触させる。また、位置情報発信機２０は、接地器具１０のクランプ１８に接続される電線３０を備えている。
【００１７】
図２は、図１のクランプ１８の拡大図である。図２（ａ）は、クランプ１８の拡大図であり、同図（ｂ）は、クランプ１８がアースされた接地部材７０へ取り付けられた状態を示している。
【００１８】
図２（ａ）、（ｂ）に示すように、クランプ１８は、クランプ本体３２と、クランプ部材３３とを備えている。クランプ本体３２は略コの字型に形成された部材であって、その中央部に絶縁部３８を備えており、絶縁部３８の上下がそれぞれ導電体からなる上側本体部３２ａと下側本体部３２ｂを構成している。また、クランプ部材３３は、ボルト部材３４と、このボルト部材３４の下端に回転自在に取り付けられた挟持板３６とを備えており、ボルト部材３４は、クランプ本体３２の上側の腕部３２ｃに設けられたねじ孔に螺合して上下に貫通している。そして、ボルト部材３４を回転させることで、挟持板３６と、クランプ本体３２の下側の腕部３２ｄとの間で、接地部材７０を挟持することで、クランプ１８が接地部材７０に取り付けられる。なお、ボルト部材３４及び挟持板３６は導電体により構成されている。
【００１９】
また、上側本体部３２ａにはアース線１６が接続され、下側本体部３２ｂには接地器具１０からの電線３０が接続されている。なお、電線３０は、下側本体部３２ｂとボルト４０及びナット４２により固定されており、必要に応じて取り外しができるようになっている。
【００２０】
以上の構成によれば、クランプ１８が接地部材７０に取り付けられない場合は、上側本体部３２ａと下側本体部３２ｂとの間は絶縁されており、したがってアース線１６と電線３０も互いに絶縁されている（同図（ａ）参照）。一方、クランプ１８が接地部材７０に取り付けられた場合には、上側本体部３２ａと下側本体部３２ｂとが、ボルト部材３４、挟持板３６、及び接地部材７０を介して互いに導通し、したがって、アース線１６と電線３０も導通する（同図（ｂ）参照）。
【００２１】
図３は、本実施形態の位置情報発信機２０の機能ブロック図である。  
図３に示すように、位置情報発信機２０は、ＧＰＳ情報受信部４４と、無線発信部４６と、制御部４８とを有する。
【００２２】
ＧＰＳ情報受信部４４は、複数のＧＰＳ衛星５０の電波を受信して、それらのデータから受信位置（つまり接地器具１０の所在位置）を示す位置情報を演算し、無線発信部４６に受け渡す。ＧＰＳ情報受信部４４には、例えば、市販のＧＰＳ受信機を用いることができる。
【００２３】
無線発信部４６は、ＧＰＳ情報受信部４４で受信した位置情報を受け取り、外部にその情報を無線で発信する発信回路５２を有する。
【００２４】
制御部４８は、接地器具１０のフック１４に接触する頭部２６に接続されたフック側電路５４と、電線３０に接続されたアース側電路５６と、フック側電路５４とアース側電路５６との間に直列に接続された電源５８及びリレー６０とを備えている。
【００２５】
リレー６０の接点６０ａは、発信回路５２の電源供給ライン５２ａに設けられており、リレー６０に通電された状態では接点６０ａが閉じて、発信回路５２が作動し、リレー６０に通電されない状態では接点６０ａが開いて、発信回路５２の作動が停止するようになっている。
【００２６】
クランプ１８が接地部材７０に取り付けられていない場合、上述のようにアース線１６と電線３０とは互いに絶縁されていることから、フック側電路５４とアース側電路５６との間も絶縁されているので、リレー６０は通電されない。したがって接点６０ａが開いて、発信回路５２が停止状態となる。
【００２７】
一方、クランプ１８が接地部材７０に取り付けられた場合、上述のようにアース線１６と電線３０とは互いに導通することから、フック側電路５４とアース側電路５６との間も導通するので、リレー６０に通電される。したがって接点６０ａが閉じて、発信回路５２が作動する。これにより、無線発信部４６から位置情報が発信されることになる。
【００２８】
なお、リレー６０としては、電磁作用等による機械的に接点を入切りする機械式リレー、機械的な接点を持たず半導体や抵抗などの電子部品で構成される半導体リレー、或いは、機械式リレーと半導体リレーとを組み合わせたハイブリットリレーなどを用いることができる。
【００２９】
図４は、位置情報発信機２０が取り付けられた接地器具１０を用いた接地器具の着脱管理システム８０の構成を示す構成図である。  
図４に示すように、例えば、変電所８２の点検等にこの接地器具１０を用いる場合には、各接地器具１０に取り付けられた位置情報発信機２０によって無線発信された位置情報は、一旦、各変電所８２に設置される管理装置９０によって受信され収集される。
【００３０】
図５は、管理装置９０の機能ブロック図である。  
図５に示すように、管理装置９０は、無線受信部９２と、記憶部９４と、送信部９６とを有する。  
無線受信部９２は、位置情報発信機２０から無線で発信された位置情報を受信して記憶部９４に受け渡す。  
記憶部９４は、無線受信部９２が変換した位置情報を記憶する。なお、同一の変電所８２に複数の接地器具１０が取り付けられている場合には、各接地器具１０について位置情報が記憶される。  
送信部９６は、ネットワーク回線１００に接続されており、ネットワーク回線１００を介してアクセスしてきた各制御所１１０の端末１１２からの要求に応じて記憶部９４に記憶された位置情報を当該端末１１２へ送信する。  
このように、各変電所８２に設置された管理装置９０に収集された情報は、試充電の制御を行う各制御所１１０の端末１１２上から閲覧することができる（図４参照）。
【００３１】
ここで、接地器具１０が取り外されている場合には、その接地器具１０に取り付けられる位置情報発信機２０は位置情報を発信しないので、管理装置９０にもその接地器具１０に関しての情報は収集されない。したがって、制御所１１０の端末１１２において、その接地器具１０に関しての位置情報は表示されない。
【００３２】
一方、接地器具１０が取り外されていない場合には、その接地器具１０に取り付けられる位置情報発信機２０は位置情報を発信し、管理装置９０にその接地器具１０に関しての情報が収集され、制御所１１０の端末１１２ではその接地器具１０に関しての位置情報が表示される。
【００３３】
すなわち、制御所１１０の端末１１２からは、取り外されていない接地器具１０の位置情報のみを閲覧することになる。
【００３４】
以上説明したように、本実施形態の接地器具１０によれば、変電所８２の点検等の終了後に試充電を実施する場合に、制御所１１０にいるオペレーターは、取り外しがなされていない接地器具１０の位置情報を閲覧することができる。これにより、制御所１１０にいる試充電を行うオペレーターは、接地器具１０の取り外し忘れがある場合、試充電を行う前に現場作業者にその旨及びその位置を連絡して、接地器具１０の取り外しを行わせる指示を出すことができるとともに、実際に取り外されたのを確認したうえで試充電を行うことができる。その結果、設備の破損や瞬時電圧低下等の事故が防止されるともに、接地器具の取り外しの確認作業の精度が飛躍的に向上する。
【００３５】
なお、以上の説明では、変電所に適用された場合について説明したが、これに限らず、送配電線にも適用が可能である。本発明における「電路」とは、送配電線を含む概念を意味する。
【図面の簡単な説明】
【００３６】
【図１】本実施形態に係る接地器具１０の外観図である。
【図２】図１のクランプ１８の拡大図である。
【図３】本実施形態の位置情報発信機２０の機能ブロック図である。
【図４】位置情報発信機２０が取り付けられた接地器具１０を用いた接地器具着脱管理システム８０の構成を示す構成図である。
【図５】管理装置９０の機能ブロック図である。
【符号の説明】
【００３７】
１０  接地器具                      １２  把持棒
１４  フック                        １６  アース線
１８  クランプ                      ２０  位置情報発信機
２２  胴体部                        ２４  マジックテープ
２６  頭部                          ３０  電線
３２  クランプ本体                  ３２ａ  上側本体部
３２ｂ  下側本体部                  ３２ｃ  上側の腕部
３２ｄ  下側の腕部                  ３３  クランプ部材
３４  ボルト部材                    ３６  挟持板
３８  絶縁部                        ４０  ボルト
４２  ナット                        ４４  ＧＰＳ情報受信部（位置情報受信部）
４６  無線発信部                    ４８  制御部
５０  ＧＰＳ衛星                    ５２  発信回路
５２ａ  電源供給ライン              ５４  フック側電路
５６  アース側電路                  ５８  電源
６０  リレー                        ７０  接地部材
８０  接地器具の着脱管理システム    ８２  変電所
９０  管理装置                      ９２  無線受信部
９４  記憶部                        ９６  送信部
１００  ネットワーク回線            １１０  制御所
１１２  端末
【図１】
2009247044.tif 000003
【図２】
2009247044.tif 000004
【図３】
2009247044.tif 000005
【図４】
2009247044.tif 000006
【図５】
2009247044.tif 000007